(57)【特許請求の範囲】
【請求項１】
キャップ基体の上壁に立設され円錐状弁座を具えた注出開口部と、該注出開口部に係合する開口弁と、開口弁支持部材とを備えた液噴出容器であって、
開口弁が、円錐状弁部と、下端に膨出部を設けた摺動軸とからなっており、
開口弁支持部材が、摺動軸を嵌合する軸受穴を穿孔した弁支持筒と、その下端に連設された遮蔽板とを具えおり、
前記注出開口部の前記円錐状弁座面に凸部を形成し、
前記開口弁の円錐状弁部に前記凸部と係合する凹部を設け、内容液を波形シャワー状に噴出するようにしたことを特徴とする液噴出容器。
【請求項２】
注出開口部の円錐状弁座面に形成した凸部が突条であり、開口弁に設けた凹部が凹溝であって、
突条の頂面が開口弁の解放時にも凹溝内に位置するようにし、内容液を二重シャワー状に噴出するようにしたことを特徴とする請求項１記載の液噴出容器。
【発明の詳細な説明】
【０００１】
【発明の属する技術分野】
本発明は、液噴出容器、とくに使用時に容器を傾けたとき、内容液が噴出しないようにした液噴出容器に関する。
【０００２】
【従来の技術】
キャップ本体の頂壁に設けた注出開口部に開口弁を嵌挿し、容器口部を下方に向けたときに、開口弁が液圧によって開かれて、リング状の噴出口が形成され、胴部のスクイズにより、内容液がリング状あるいはシャワー状に噴出されるようにした液噴出容器は、従来より知られている。
【０００３】
【発明が解決しようとする課題】
しかしながら、従来の容器は、内容液を噴出するために容器を傾け、容器口部を横にしたとき、さらに、容器口部を下方にむけたときに、ウォーターハンマー作用によって内容液が噴出されるという問題があった。
また、容器を傾け始めてから、所要の方向に向けるまでの間に、液圧によって開口弁が開かれ、不要な個所に内容液を溢散させるという問題があった。
【０００４】
本発明は、上記の問題を解決することを課題とし、注出時に、ウォーターハンマー作用による内容液の噴出を押さえるとともに、胴部を押圧することによって開口弁を開き、所要の方向に内容液を噴出させるようにした液噴出容器を提供することを目的とする。
【０００５】
【課題を解決するための手段】
本発明は、上記の課題を解決するため、液噴出容器として、キャップ基体の上壁に立設され円錐状弁座を具えた注出開口部と、該注出開口部に係合する開口弁と、開口弁支持部材とを備えた液噴出容器であって、開口弁が、円錐状弁部と、下端に膨出部を設けた摺動軸とからなっており、開口弁支持部材が、摺動軸を嵌合する軸受穴を穿孔した弁支持筒と、その下端に連設された遮蔽板とを具えおり、前記注出開口部の前記円錐状弁座面に凸部を形成し、前記開口弁の円錐状弁部に前記凸部と係合する凹部を設け、内容液を波形シャワー状に噴出するようにしたことを特徴とする構成を採用する。
【０００６】
シャワーの別実施例として、注出開口部の円錐状弁座面に形成した凸部が突条であり、開口弁に設けた凹部が凹溝であって、突条の頂面が開口弁の解放時にも凹溝内に位置するようにし、内容液を二重シャワー状に噴出するようにしたことを特徴とする構成を採用する。
【０００７】
【発明の実施の形態】
次に、本発明の実施形態について、図面を参照して説明する。
図１において、Ａは容器、Ｂはキャップであり、いずれも合成樹脂をもって成形されており、容器Ａには、内容液として、洗剤、化粧料その他が収納される。
【０００８】
容器Ａは、口部１と胴部２、底部とからなっており、口部１外周には、ねじ３が螺設されている。
胴部２は、断面円形または楕円形であり、スクイズ可能となっている。
【０００９】
図１，２に示すように、キャップＢは、キャップ基体Ｂ１と、該キャップ基体Ｂ１に蝶番機構Ｂ２を介して開閉自在として取着された開閉蓋Ｂ３とからなっている。
キャップ基体Ｂ１は、側周壁４と上壁５とを具え、側周壁４の内周には口部１のねじ３に螺合するねじ６が螺設され、外周上端縁には、段部７が設けられている。
【００１０】
外周の所定位置には、段部７から切り下げられた凹部８が刻設され、その下端から蝶番機構Ｂ２の押え板９が連設され、凹部８の両側の段部７周縁には、蝶番１０が連設されている。
蝶番機構Ｂ２の反対側の周面には、段部７下方を切欠いて凹部１１が設けられている。
【００１１】
図３に示すように、上壁５の上面には、注出開口部１２が立設されており、該注出開口部１２は、上部が広がった円錐状弁座１３と、該円錐状弁座１３の下部に連設された円形の流通孔１４とを具えている。
【００１２】
注出開口部１２には、開口弁１５が係合されており、開口弁１５は、円錐状弁座１３に係合する円錐状弁部１６と、下端に膨出部１７を設けた摺動軸１８とからなっている。
【００１３】
開口弁支持部材１９は、口部１内周に嵌着される嵌合筒２０と、該嵌合筒２０に連設された弁支持筒２１を具えている。
嵌合筒２０の上端には、フランジ２２が突設され、下端には、内方に突出する環状板２３が突設されている。
【００１４】
環状板２３の内周縁から、一定の間隔をおいて、複数の円錐筒状の支持板２４が立設されており、隣り合う支持板２４の間は流路２５となっている。
支持板２４の上端には、遮蔽板２６が連設されており、遮蔽板２６の中央には、軸受穴２７を穿孔した弁支持筒２１が立設されている。
摺動軸１８は、軸受穴２７に嵌合され上下動自在に支持されるようになっている。
【００１５】
開口弁支持部材１９の取付にあたっては、まずフランジ２２がキャップ基体Ｂ１内周上端部に設けられた膨出環２８によって支持される。
次いで、開口弁１５が注出開口部１２の上方から嵌挿され、摺動軸１８を軸受穴２７内に押し込み膨出部１７が遮蔽板２６から突き出るようにして、開口弁１５を弁支持筒２１に支持させる。
キャップＢを嵌着したときには、開口弁１５の円錐状弁部１６が注出開口部１２の円錐状弁座１３に係合するとともに、嵌合筒２０が容器口部１の内周に嵌合して容器内部を密封する。
【００１６】
図２に示すように、上壁５の凹部１１の上方の上端周縁には、一定範囲にわたる膨出部２９が設けられており、開閉蓋Ｂ３の閉蓋時に、開閉蓋Ｂ３を係合締着する。
【００１７】
開閉蓋Ｂ３は、頂壁３０と側周壁３１とからなり、頂壁３０の下面には、注出開口部１２の周面に係合する密封リング３２が垂設されており、その内周には、開口弁１５の円錐状弁部１６を円錐状弁座１３に圧接させ、注出開口部１２を密封する押圧リング３３が垂設されている。
【００１８】
頂壁３０には、切欠部３４が刻設され、その始端には、蝶番機構Ｂ２の押え板９の一端が連設されている。
側周壁３１下端部には、押え板９を挟むよう蝶番１０の一端が連設されており、蝶番機構Ｂ２の反対側の下端周縁には、つまみ３５が突設されている。
つまみ３５の内周には、上壁の膨出部２９に係合する一定巾の凹溝３６が設けられている。
【００１９】
次に、本発明液噴出容器の作用効果について説明する。
液噴出容器は、使用時には容器口部１を下方に所望する方向に向け、内容液の自重、または胴部２を押圧することによって、内容物を噴出させる。
内容液の噴出にあたって、開閉蓋Ｂ３を開き容器Ａを傾けた場合には、内容液のウォーターハンマー作用によりキャップＢ上壁５内面に衝撃的な液圧がかかるが、上壁５の下方には、遮蔽板２６があるので、内容液は遮蔽板２６に衝突して横方向に流れ、注出開口部１２には衝撃的な液流は伝わらない。
そのため、容器Ａを傾けたときに、一時的に内容液が飛び出すことはない。
【００２０】
容器口部１を下方に向けると、図４に示すように、内容液の自重によって開口弁１５が開いて、円錐筒状の開口が形成され、内容液は円錐状弁部１６の円錐面に沿ってリング状に噴出される。
開口弁１５が最下端まで開き開口が広くなった場合には、開口の一部から空気が導入されるので、引き続いて噴出が行われる。
そして、落下に従って、円錐筒リングが分断され、細流に集束され、シャワー状となって落下することになる。
【００２１】
多量の内容液を噴出させる場合には、胴部２を押圧すると内容液は円錐筒状の開口からリング状またはシャワー状に噴出される。
胴部２の押圧をとめると、内容液の噴出が止まり、胴部２が復元し、容器内が低圧になることによって、円錐筒状開口より空気が導入され、次の押圧、内容液の噴出に備えることになる。
【００２２】
噴出後に容器Ａを正立させ、開閉蓋Ｂ３を閉じると、押圧リング３３によって開口弁１５が押さえられるので、容器Ａを横倒ししたり、倒立させても開口弁１５が開かれない。
【００２３】
次に、注出開口部と開口弁の実施例について説明する。
前記実施形態では、注出開口を、円錐筒状の開口とし、リング状に噴出させるようにしたが、本実施例は注出開口を内外二列の噴出口とし、二重シャワー状に噴出させるようにしたものである。
【００２４】
図５，６に示すように、注出開口部１２の円錐状弁座１３には、周方向に等間隔をおいて突条４０が配設され、開口弁１５の円錐状弁部１６には、突条４０が係合する凹溝４１が刻設されている。
突条４０の高さは、開口弁１５が開放されたときにもその山面４０ａが凹溝４１内に位置するようになっている。
突条４０と突条４０との間隔、高さ、巾は、適宜に選択することができ、そのことによって噴出口の位置をかえることができる。
【００２５】
図６に示すように、開口弁１５が開かれたときには、内容液は突条４０の山面４０ａと凹溝４１の谷面４１ａとの間、および突条４０間の円錐状弁座１３と円錐状弁部１６との間から噴出され、内外二重のシャワーとして噴出される。
【００２６】
上記実施例において、突条４０の山面を低くすれば、注出開口は、内外がコの字形が連続するようになり、内周と外周との間に巾を持ったシャワーとして、噴出される。
また、上記実施例では、突条４０と凹溝４１を組み合わせるようにしたが、それに限らず、図７に示すように、円弧状の凸部４２と凹部４３との組合せ、その他、注出開口の形状を変えることによって波形、その他、種々の形のシャワー状の噴流を得ることができる。
【００２７】
【発明の効果】
本発明は、上記のように構成されているから、次の効果を奏する。
開口弁支持部材に、注出開口部に対する遮断板を設けたから、ウォーターハンマー作用による液流が注出開口部に伝わらないようにすることができた。
【図面の簡単な説明】
【図１】  本発明噴出容器の断面正面図である。
【図２】  キャップの開閉蓋を１８０度開いたときの説明図で、（ａ）は上面図、（ｂ）は縦断面図である。
【図３】  注出開口部と開口弁および開口弁支持部材の拡大説明図で、（ａ）は断面図、（ｂ）は底面図である。
【図４】  噴出時の説明図である。
【図５】  注出開口部と開口弁の他の実施例であって、（ａ）は上面図、（ｂ）は縦断面図である。
【図６】    実施例の噴出時の説明図で、（ａ）は噴出時の説明図、（ｂ）は図（ａ）のＡ−Ａ線における断面の展開図である。
【図７】    注出開口部と開口弁の別実施例である。
【符号の説明】
Ａ        容器
Ｂ        キャップ
Ｂ１      キャップ基体
Ｂ２      蝶番機構
Ｂ３      開閉蓋
１        口部
２        胴部
４        側周壁
５        上壁
１２      注出開口部
１３      円錐状弁座
１４      流通孔
１５      開口弁
１６      円錐状弁部
１７      膨出部
１８      摺動軸
１９      開口弁支持部材
２０      嵌合筒
２１      弁支持筒
２３      環状板
２４      支持板
２５      流路
２６      遮蔽板
２７      軸受穴
３０      頂壁
３１      側周壁
３２      密封リング
３３      押圧リング
４０      突条
４１      凹溝
４２      凸部
４３      凹部
【図１】
0004263350.tif 000002
【図２】
0004263350.tif 000003
【図３】
0004263350.tif 000004
【図４】
0004263350.tif 000005
【図５】
0004263350.tif 000006
【図６】
0004263350.tif 000007
【図７】
0004263350.tif 000008